(57)【要約】　　　（修正有）【課題】巻線アッセンブリのスロットへの挿入操作性を向上するとともに、挿入後の絶縁性を向上できる回転電機の固定子を得る。【解決手段】固定子巻線側に紙を用い、固定子鉄心側に樹脂を用いて２層構造に成形するか、或いはこれと反対の２層構造に成形したインシュレータ４、および軸線方向に延設したスロット２ａが周方向に所定のピッチで複数配設した円筒状の固定子鉄心２と、この鉄心２に巻装された固定子巻線３とから成る電機子としての固定子８を備え、インシュレータ４を介して固定子鉄心２と固定子巻線３とを電気的に絶縁する。【選択図】　　　　図１
2004040887.tif 000002
【特許請求の範囲】
【請求項１】
縦軸方向に延設したスロットが周方向に複数設けられた固定子鉄心と、上記スロットに挿入されて上記固定子鉄心に巻装された固定子巻線と、上記スロット内に嵌装されて上記固定子鉄心と固定子巻線とを絶縁するインシュレータを備えた回転電機の固定子において、上記インシュレータを紙と樹脂から成る２層構造としたことを特徴とする回転電機の固定子。
【請求項２】
上記インシュレータの固定子巻線側に紙を用い、固定子鉄心側に樹脂を用いて２層構造として成形したことを特徴とする請求項１記載の回転電機の固定子。
【請求項３】
上記インシュレータの固定子鉄心側に紙を用い、固定子巻線側に樹脂を用いて２層構造として成形したことを特徴とする請求項１記載の回転電機の固定子。
【請求項４】
上記インシュレータは、成形後の吸水膨張率差による反り動作によって、先端に向かって緩やかに拡大した曲面を形成していることを特徴とする請求項１から３のいずれか１項に記載の回転電機の固定子。
【請求項５】
上記インシュレータの開口部の両端縁に、内方向への曲り角度を異にした湾曲部から斜上方向に延びる傾斜平縁部を設けていることを特徴とする請求項１から４のいずれか１項に記載の回転電機の固定子。
【請求項６】
巻線アッセンブリが上記インシュレータを介してスロットに挿入された状態で、上記インシュレータの一方の平縁部の先端が、他方の平縁部の内面に密接して閉塞していることを特徴とする請求項１から５のいずれか１項に記載の回転電機の固定子。
【請求項７】
上記インシュレータを介して固定子鉄心のスロットに挿入される固定子巻線を深さ方向に一列に巻装したことを特徴とする請求項１から３のいずれか１項に記載の回転電機の固定子。
【請求項８】
上記インシュレータを介して固定子鉄心のスロットに挿入される固定子巻線を導体セグメントとしたことを特徴とする請求項１から３のいずれか１項に記載の回転電機の固定子。
【請求項９】
上記インシュレータを介して固定子鉄心のスロットに挿入される固定子巻線を整列連続線としたことを特徴とする請求項１から３のいずれか１項に記載の回転電機の固定子。
【発明の詳細な説明】
【０００１】
【発明の属する技術分野】
この発明は、車両の内燃機関によって駆動される回転電機の固定子に関するものである。
【０００２】
【従来の技術】
図１０は従来の車両用回転電機の固定子を示す斜視図である。
図において、固定子１は、固定子鉄心２と、固定子巻線３と、インシュレータ４とを備えている。上記固定子鉄心２は円筒状をなし、その周方向に沿って所定ピッチで軸線方向に複数の長いスロット２ａが配設されており、また上記固定子鉄心２には固定子巻線３が巻装され、また上記インシュレータ４はＵ字状に成形されており、上記固定子鉄心２と固定子巻線３とを電気的に絶縁している。
なお、固定子巻線３は１組の３相交流巻線に構成され、これを収容するためのスロット２ａは、例えば３６箇所と多数形成される。
【０００３】
以下、図１１〜図１７に基づいて上記従来の固定子１の製作工程を説明する。
まず、磁性材料であるＳＰＣＣ材を用いた帯状薄板を製作し、これを所定枚数積層し、外周部をレーザ溶接して図１１に示す直方体の積層鉄心５を製作する。
なお、この積層鉄心５の長手方向の一側には多数のスロット２ａが配設されている。図中、５ａはティース、５ｂは鍔部である。
【０００４】
また、絶縁被覆された断面円形の銅線材から１本の素線６を３スロットピッチで波巻きに所定回数巻回して全体が平坦な形状の巻線アッセンブリ７Ａを製作する。この巻線アッセンブリ７Ａを構成する素線６の巻き始端および巻き終端が、それぞれ口出し線６ａおよび中性点リード線６ｂとなる。さらに、１本の素線６を巻回して巻線アッセンブリ７Ｂ，７Ｃを製作する。
次に、図１２に示すように、略Ｕ字状に成形したインシュレータ４を積層鉄心５の各スロット２ａにその開口側から嵌装し、完全に収納する。そして、３本の巻線アッセンブリ７Ａ，７Ｂ，７Ｃは、図１３に示すように、１スロットピッチずつずらして重合される。
このように重合された巻線アッセンブリ７Ａ，７Ｂ，７Ｃを、図１４に示すように、スロット２ａの開口側からそれぞれ３スロット毎のスロット２ａに挿入する。これにより、巻線アッセンブリ７Ａ，７Ｂ，７Ｃが図１５および図１６に示すように積層鉄心５に装着される。
ついで、図１７に示すように、巻線アッセンブリ７Ａ，７Ｂ，７Ｃが装着された上記積層鉄心５を成形装置で円筒状に曲げ加工した後、積層鉄心５の両端面を突き合わせ溶接し、図１に示すような固定子１が完成する。
【０００５】
従来の固定子１は以上のような構成であり、巻線アッセンブリ７Ａ，７Ｂ，７Ｃを構成する各素線６の中性点リード線６ｂを結線して３相交流巻線である固定子巻線３が得られる。これら巻線アッセンブリ７Ａ，７Ｂ，７Ｃは、それぞれ１２０度の位相差を有し、３相交流巻線のａ相，ｂ相，ｃ相の巻線に相当する。
そして、この固定子１を車両用交流発電機に搭載するに際しては、巻線アッセンブリ７Ａ，７Ｂ，７Ｃを構成する各素線６の口出し線６ａが整流器に接続される。
【０００６】
【発明が解決しようとする課題】
従来の固定子は以上のような構成であり、その製作過程では、積層鉄心５のスロット２ａ内に略Ｕ字状に成形されたインシュレータ４を完全に挿入したところで、巻線アッセンブリ７Ａ，７Ｂ，７Ｃをスロット開口側からインシュレータ４内へ挿入される。
また、車両用交流発電機では、固定子１と回転子（図示せず）との隙間は僅かであり、インシュレータ４がスロット２ａから延出していると回転子との干渉が生じることから、インシュレータ４はその先端がスロットの開口から内径側に突出しないように形成されている。
つまり、インシュレータ４の先端がティース５ｂの端面と同一となっているので、巻線アッセンブリ７Ａ，７Ｂ，７Ｃを挿入する際に、インシュレータ４の開口先端部が案内部分として機能せず、したがって、巻線アッセンブリの挿入作業が困難であり、円滑性に欠けるという問題があった。
【０００７】
また、インシュレータ４は両側辺が略平行に形成されているので、巻線アッセンブリ７Ａ，７Ｂ，７Ｃがスロット２ａ内に挿入された状態では、スロット４の開口側が完全に開放されている。したがって、積層鉄心５を曲げ加工する際に、素線６がスロット２ａから飛び出すおそれがあり、鉄心の曲げ作業に悪影響を及ぼすという問題もあった。
【０００８】
また、巻線アッセンブリ７Ａ，７Ｂ，７Ｃとインシュレータ４との間の摩擦力によって、インシュレータ４の先端側が巻線アッセンブリ７Ａ，７Ｂ，７Ｃの挿入動作とともにスロット２ａの底部側に押し込まれるので、その結果、ティース５ｂの周方向の端面が露出することになる。
これによって、巻線アッセンブリ７Ａ，７Ｂ，７Ｃの素線が鍔部５ｂの上記端面に擦られ、絶縁被膜に損傷が発生すること、また、アッセンブリ挿入後、スロット２ａの開口側の内壁面と素線との間にインシュレータ４が介在しない部位が生ずることによる絶縁性の悪化を招くという問題があった。
【０００９】
上記のようなスロット開口部における絶縁性を向上することを目的として提案されたものに特開２０００−３０８３１４号公報があるが、この公報に開示されたものでは、シート状の絶縁部材を筒状にしてスロットに挿入し、その一端部に拡開加工を施した後、巻線アッセンブリを挿入するという技術であるが、シート状絶縁部材の挿入、拡開加工が煩雑であり、作業能率が悪く、円滑性を欠くという問題点がある。
【００１０】
この発明は、上記のような問題を解決するためになされたものであり、インシュレータの構成を紙と樹脂からなる２層構造とすることによって、人為的動作を加えることなく、自然な反り動作つまり自己形成作用によって所要の形状を維持するインシュレータを作製し、その下半部をスロットに嵌装した後、このインシュレータの上半部を案内として、巻線アッセンブリを挿入するようにして巻線アッセンブリを保護するとともに、挿入作業性を向上させ、しかもインシュレータがスロットに完全に挿入された状態では、インシュレータの一方の端縁部の先端が他方の端縁部の内面に密接して開口を閉塞するように変形して素線の飛び出しを防止し、かつ、絶縁性能を保持する回転電機の固定子を得ることを目的とする。
【００１１】
【課題を解決するための手段】
この発明の請求項１に係る回転電機の固定子では、縦軸方向に延設したスロットが周方向に複数設けられた固定子鉄心と、上記スロットに挿入されて上記固定子鉄心に巻装された固定子巻線と、上記スロット内に嵌装されて上記固定子鉄心と固定子巻線とを絶縁するインシュレータを備えた回転電機の固定子において、上記インシュレータを紙と樹脂から成る２層構造としたものである。
【００１２】
この発明の請求項２に係る回転電機の固定子では、上記インシュレータの固定子巻線側に紙を用い、固定子鉄心側に樹脂を用いて２層構造として成形したものである。
【００１３】
この発明の請求項３に係る回転電機の固定子では、上記インシュレータの固定子鉄心側に紙を用い、固定子巻線側に樹脂を用いて２層構造として成形したものである。
【００１４】
この発明の請求項４に係る回転電機の固定子では、上記インシュレータは、成形後の吸水膨張率差による反り動作によって、先端に向かって緩やかに拡大した曲面を形成しているものである。
【００１５】
この発明の請求項５に係る回転電機の固定子では、上記インシュレータの開口部の両端縁に、内方向への曲り角度を異にした湾曲部から斜上方向に延びる傾斜平縁部を設けたものである。
【００１６】
この発明の請求項６に係る回転電機の固定子では、巻線アッセンブリが上記インシュレータを介してスロットに挿入された状態で、上記インシュレータの一方の平縁部の先端が、他方の平縁部の内面に密接して閉塞しているものである。
【００１７】
この発明の請求項７に係る回転電機の固定子では、上記インシュレータを介して固定子鉄心のスロットに挿入される固定子巻線は深さ方向に一列に巻装したものである。
【００１８】
この発明の請求項８に係る回転電機の固定子では、上記インシュレータを介して固定子鉄心のスロットに挿入される固定子巻線は導体セグメントである。
【００１９】
この発明の請求項９に係る回転電機の固定子では、上記インシュレータを介して固定子鉄心のスロットに挿入される固定子巻線は整列連続線である。
【００２０】
【発明の実施の形態】
以下、この発明の実施の形態を図に基づいて説明する。
実施の形態１．
図１はこの発明の実施の形態１に係る回転電機の固定子を示す斜視図、図２はこの発明の実施の形態１に係る回転電機の固定子におけるインシュレータの断面図であり、（ａ）は成形時の形状を、（ｂ）は反り動作による変形後の形状を示す。
図３はインシュレータの変形例を示す断面図であり、（ａ）は成形時の形状を、（ｂ）は反り動作による変形後の形状を示す。
図４はこの発明の実施の形態１に係る回転電機の固定子におけるインシュレータとスロットとの嵌装関係を示す部分断面図、図５（ａ）（ｂ）はこの発明の実施の形態１に係る回転電機の固定子における巻線アッセンブリの挿入を完了した状態を示す部分断面図である。
なお、各図において、上記図１０〜図１７に示す従来装置と同一または相当部分には同一符号を付して説明する。
【００２１】
図１において、電機子としての固定子８は、軸線方向に延設したスロット２ａが周方向に所定のピッチで複数配設された電機子鉄心としての円筒状の固定子鉄心２と、この固定子鉄心２に巻装された電機子巻線としての固定子巻線３と、上記各スロット２ａ内に嵌装されて、固定子鉄心２と固定子巻線３とを電気的に絶縁するインシュレータ４とを具備している。
なお、この固定子８の製作工程は、先に説明した従来の技術と同様である。
【００２２】
上記インシュレータ４は、図２及び図３に示すような構造である。
まず、図２（ａ）に示すものにあっては、内側つまり固定子巻線側に紙９を用い、外側つまり固定子鉄心側に樹脂１０を用いた２層構造として略Ｕ字状に成形しており、開口部１１における両端縁に、内方向への曲り角度θを異にした湾曲部１２と、この湾曲部に続く相対向する傾斜角の異なる平縁部１３を設けている。そして、上記平縁部１３を構成するための曲り角度θは一方の角度に対して他方の角度を少なくともインシュレータ４の２層構造の厚さに相当した分だけの角度差を与えている。
なお、上記インシュレータ４を構成する紙９として、例えばノーメックスシートが用いられ、これが成形後、吸水することにより膨張してインシュレータ４の形を変えるのである。
つまり、紙９と樹脂１０との膨張率差による反り動作によって、インシュレータ４は図２（ｂ）に示すように、先端に向かって内方向に膨出する緩やかに拡大した曲面が自動的に形成され、巻線アッセンブリの挿入を安定する開口部１１が広く開口した形で保持される。
【００２３】
図３（ａ）に示すインシュレータ４は、外側つまり固定子鉄心側に紙９を、内側つまり固定子巻線側に樹脂１０を用いた２層構造として、図２（ａ）と同様の形状に成形したものである。
ところで、このインシュレータ４にあっては、紙９が外側に存在することから、これが吸水して膨張すると、図３（ｂ）に示すような、中央部分が外方向に膨張する緩やかに拡大した曲面が形成され、所要の開口部１１が保持される。
また、本実施形態では、鉄心側は紙、巻線側に樹脂となるようインシュレータを構成したので、鉄心のコア材によるインシュレータの破損を防止できるとともに、巻線の形状に沿って樹脂部が或る弾性をもって変形するので、挿入性が高い。
【００２４】
この実施の形態１によれば、緩やかに拡大した曲面によって広い開口部１１が確保された上記インシュレータ４を用い、まずこれを図４に示すように、その先端開口部１１をスロット２ａ外に突出した状態に嵌装する。次に、巻線アッセンブリ７Ａ，７Ｂ，７Ｃを上記インシュレータ４の開口部１１から挿入するが、この時、巻線アッセンブリ７Ａ，７Ｂ，７Ｃはインシュレータ４を介し、これを案内として、図５（ａ）（ｂ）に示すように、スロット２ａ内に挿入される。
以上の挿入動作において、インシュレータ４は固定子鉄心２のティース５ａの鍔部５ｂの内側間で拡大した形状が徐々に狭められながら挿入が進行し、完全に挿入された状態では、インシュレータ４の一方の平縁部１３の先端が他方の平縁部１３の内面に密接して閉塞し、アッセンブリ７Ａ，７Ｂ，７Ｃを完全に包囲するのであって、これにより、優れた絶縁性が確保される。また、積層鉄心を曲げ加工する際に、素線６がスロット２ａから飛び出すおそれがなく、作業性が向上する。
【００２５】
実施の形態２．
図６はこの発明の実施の形態２に係る回転電機の固定子を示す斜視図である。この実施の形態２に係る固定子８は、予め円筒状に製作された固定子鉄心２に全体が円筒状に形成された固定子巻線３を装着して製作されるものである。
まず、円筒状で多くのスロット２ａを配設した固定子鉄心２と、先に説明したインシュレータ４を製作し、次に１本の素線６を３スロットピッチで波巻きに所定回数巻回して全体が円筒状の巻線アッセンブリ７Ａを作製し、同様にして巻線アッセンブリ７Ｂ，７Ｃを作製し、これらを１スロットピッチずらして３層に重ねて電機子巻線としての固定子巻線３を作製する。
ついで、インシュレータ４を固定子鉄心２の各スロット２ａに軸方向から嵌装し、先端の開口部１１を径方向に突出させた状態にセットする。そして、先に作製した固定子巻線３の径を狭めて固定子鉄心２内に挿入する。その後、固定子巻線３をインシュレータ４を介してスロット２ａ内に挿入して固定子が作製される。
【００２６】
この実施の形態２においても、図２，図３に示すような形状をもつ２層構造のインシュレータ４を用い、固定子巻線３を挿入するに先立って、インシュレータ４の開口部１１をスロット２ａの径方向内側へ突出した状態で嵌装し、これを案内として固定子巻線３をスロット２ａへ挿入するものであって、上記実施の形態１と同様の作用・効果が得られる。
【００２７】
実施の形態３．
図７はこの発明の実施の形態３に係る回転電機の固定子を示す回転電機の固定子を示す部分断面図である。
この実施の形態３では、インシュレータ４の適用による作用と効果及び他の構造は上記実施の形態１と同様であるが、この場合、固定子巻線３を深さ方向に一列に巻装したものである。本実施形態においては、巻線が一列に整列し、インシュレータとスロットが全てのコイルに覆うように形成されており、高い絶縁性を有するので、インシュレータを２層構造としても、発電機に充分な絶縁性を確保でき、高い熱電導性（巻線から鉄心）を有する。
【００２８】
実施の形態４．
図８はこの発明の実施の形態４に係る回転電機の固定子を示す斜視図である。
この実施の形態４に示す固定子８は、固定子鉄心２と、この固定子鉄心２に複数の断面が平角形状の導体セグメント１４が接続されて組み込まれ、出力電流が流れる固定子巻線群とから構成される。固定子８の各導体セグメント１４と固定子鉄心２のスロット２ａの内壁面との間の電気的絶縁はインシュレータ４によってなされるものである。
本実施形態では、鉄心側に樹脂、巻線側に紙となるよう、インシュレータを嵌装した。本実施形態の導体セグメントは、スロットに軸方向より挿入されるので、インシュレータに大きな摩擦力がかかるが、本実施形態は、巻線側を滑り易い紙としたので、インシュレータがズレることなく、高い挿入性が得られる。
【００２９】
実施の形態５．
図９はこの発明の実施の形態５に係る回転電機の固定子を示す斜視図である。この実施の形態５に示す固定子８は、軸線方向に延設されたスロット２ａが周方向に所定ピッチで複数配設された電機子鉄心としての円筒状の固定子鉄心２と、これに整列連続線として巻装された電機子巻線としての固定子巻線３と、各スロット２ａ内に装着されて固定子巻線３と固定子鉄心２とを電気的に絶縁するインシュレータ４とを備えている。
【００３０】
この実施の形態５においても、図２，図３に示すような形状をもつ２層構造のインシュレータ４を用い、固定子巻線３を挿入するに先立って、インシュレータ４の開口部１１をスロット２ａから突出した状態で嵌装し、これを案内として固定子巻線３をスロット２ａへ挿入するものであって、上記実施の形態１と同様の作用、効果が得られる。
【００３１】
【発明の効果】
この発明の請求項１に係る回転電機の固定子によれば、スロットを配設した固定子鉄心と、これに巻装された固定子巻線と、上記固定子鉄心と固定子巻線とを電気的に絶縁するインシュレータを備えた回転電機の固定子において、上記インシュレータを紙と樹脂から成る２層構造としたので、安価に提供でき、インシュレータ自体の厚みが薄くなるので、巻線の占積率が向上し、加えて出力性能、冷却性能も向上する。
【００３２】
この発明の請求項２に係る回転電機の固定子によれば、インシュレータの固定子巻線側に紙を用い、固定子鉄心側に樹脂を用いて２層構造として成形したので、紙の吸水による膨張が大きく、樹脂との膨張率差により、特に中央から上方にわたって固定子巻線側へ反り動作して開口部を大きく拡げ、したがって大半部分のスロットの収まりがよく、上半湾曲部での巻線の案内が的確であって挿入作業が円滑に行なわれる。
なお、成形後の吸水による反り動作つまり変形は自然に行なわれ、加工動作を加えることなく所要の形状を維持する。
又、インシュレータの開きは、巻線挿入の進行に伴って縮小し、挿入が完了した時点では開口部を形成する平縁部が完全に閉塞状態となり、異物や水の侵入を防ぎ、絶縁性が向上する。
【００３３】
この発明の請求項３に係る回転電機の固定子によれば、インシュレータの固定子鉄心側に紙を用い、固定子巻線側に樹脂を用いて２層構造として成形したので、巻線挿入時の滑りがよく、巻線の挿入性がよい。
又、インシュレータは巻線側に反るので、巻線挿入完了後の閉塞が確実であって、異物や水の侵入が的確に防止され、絶縁性が向上する。
【００３４】
この発明の請求項４に係る回転電機の固定子によれば、インシュレータは先端に向かって緩やかに拡大した曲面を形成するので、巻線の案内が円滑であり、しかも巻線挿入に伴う縮合動作が確実で閉塞が完全に達成される。
【００３５】
この発明の請求項５に係る回転電機の固定子によれば、インシュレータの開口部の両端縁に内方向への曲り角度を異にした湾曲部と、これに続く平縁部を設けたので、巻線挿入完了時において、一方の平縁部と他方の平縁部とが突き合うことなく確実に重合するので、優れた閉塞性が保たれる。
【００３６】
この発明の請求項６に係る回転電機の固定子によれば、巻線がインシュレータを介してスロットに挿入された状態で、インシュレータの一方の平縁部の先端が、他方の平縁部の内面に密接しているので、相互に接合力が大きく作用し、厳密な閉塞が可能となり、優れた絶縁性能を発揮する。
【００３７】
この発明の請求項７に係る回転電機の固定子によれば、インシュレータを介して固定子鉄心のスロットに挿入される固定子巻線を深さ方向に一列に巻装しているので、インシュレータとスロットが全てのコイルに覆うように形成されており、高い絶縁性を有するので、インシュレータを２層構造としても、発電機に充分な絶縁性を確保でき、高い熱電導性（巻線から鉄心）を有する。
【００３８】
この発明の請求項８に係る回転電機の固定子によれば、インシュレータを介して固定子鉄心のスロットに挿入される固定子巻線を鉄心軸方向からの挿入に対しても導体セグメントとしており、上記請求項１〜３及び請求項６と同様の効果が期待できる。
【００３９】
この発明の請求項９に係る回転電機の固定子によれば、インシュレータを介して固定子鉄心のスロットに挿入される固定子巻線を整列連続線としており、電機子巻線のターン数を容易に増やすことができるとともに、上記請求項１〜３及び請求項６と同様の効果が期待できる。
【図面の簡単な説明】
【図１】この発明の実施の形態１に係る回転電機の固定子を示す斜視図である。
【図２】この発明の実施の形態１に係る回転電機の固定子におけるインシュレータの断面図であり、（ａ）は成形時の形状を、（ｂ）は反り動作による変形後の形状を示す。
【図３】インシュレータの変形例を示す断面図であり、（ａ）は成形時の形状を、（ｂ）は反り動作による変形後の形状を示す。
【図４】この発明の実施の形態１に係る回転電機の固定子におけるインシュレータとスロットとの嵌装関係を示す部分断面図である。
【図５】この発明の実施の形態１に係る回転電機の固定子における巻線アッセンブリの挿入を完了した状態を示す部分断面図である。
【図６】この発明の実施の形態２に係る回転電機の固定子を示す斜視図である。
【図７】この発明の実施の形態３に係る回転電機の固定子を示す部分断面図である。
【図８】この発明の実施の形態４に係る回転電機の固定子を示す斜視図である。
【図９】この発明の実施の形態５に係る回転電機の固定子を示す斜視図である。
【図１０】従来の車両用回転電機の固定子を示す斜視図である。
【図１１】固定子を構成する直方体の積層鉄心を示す斜視図である。
【図１２】従来の車両用回転電機の固定子に対するインシュレータの挿入を説明する部分断面図である。
【図１３】固定子の固定子巻線の巻装前の状態を示す斜視図である。
【図１４】従来の車両用回転電機の固定子に対する巻線挿入を説明する部分断面図である。
【図１５】従来の車両用回転電機の固定子に対する巻線挿入完了時の構造を示す部分断面図である。
【図１６】従来の車両用回転電機の固定子に対する巻線挿入状態を示す斜視図である。
【図１７】従来の車両用回転電機の固定子の積層鉄心の曲げ作用を説明する部分図である。
【符号の説明】
２　固定子鉄心、２ａ　スロット、３　固定子巻線、４　インシュレータ、６素線、７Ａ，７Ｂ，７Ｃ　巻線アッセンブリ、８　固定子、９　紙、１０　樹脂、１１　開口部、１２　湾曲部、１３　平縁部、１４　導体セグメント。
【図１】
2004040887.tif 000003
【図２】
2004040887.tif 000004
【図３】
2004040887.tif 000005
【図４】
2004040887.tif 000006
【図５】
2004040887.tif 000007
【図６】
2004040887.tif 000008
【図７】
2004040887.tif 000009
【図８】
2004040887.tif 000010
【図９】
2004040887.tif 000011
【図１０】
2004040887.tif 000012
【図１１】
2004040887.tif 000013
【図１２】
2004040887.tif 000014
【図１３】
2004040887.tif 000015
【図１４】
2004040887.tif 000016
【図１５】
2004040887.tif 000017
【図１６】
2004040887.tif 000018
【図１７】
2004040887.tif 000019